(57)【要約】【課題】  従来のように操作上の煩わしさを伴う設定操作を行うことなく必要な情報を迅速に把握することを可能とするとともに、複数のオブジェクトデータ間の関連性を操作者が直感的に把握可能とする、優れた操作性を提供する。【解決手段】  計測・解析部３２は、入力されるデータの計測及び解析のうちの少なくとも一方を実行し、メインオブジェクト生成／消去部３３はその処理結果に基づいてメインオブジェクトを生成し、補助オブジェクト生成／消去部３５は、メインオブジェクトに係る所定の指示操作に応じて、上記の処理結果に基づいて補助オブジェクトを生成する。補助オブジェクトが生成された場合、メインオブジェクトとともに補助オブジェクトが表示手段上に表示される。【選択図】  図３
2007033246.tif 000002
【特許請求の範囲】
【請求項１】
入力されるデータの計測及び解析のうちの少なくとも一方を実行する計測解析手段と、
前記計測解析手段の処理結果に基づいて第１のオブジェクトデータを生成する第１のオブジェクトデータ生成手段と、
前記第１のオブジェクトデータに係る所定の指示操作に応じて、前記計測解析手段の前記処理結果に基づいて第２のオブジェクトデータを生成する第２のオブジェクトデータ生成手段と、
前記第２のオブジェクトデータ生成手段により前記第２のオブジェクトデータが生成された場合、前記第１のオブジェクトデータとともに前記第２のオブジェクトデータを表示手段上に表示させる表示制御手段とを有することを特徴とする情報処理装置。
【請求項２】
前記所定の指示操作は、前記表示手段上における前記第１のオブジェクトデータの表示範囲内又はその近傍にポインタを位置させることによって行われることを特徴とする請求項１に記載の情報処理装置。
【請求項３】
前記第１のオブジェクトデータを消去させるための指示操作に応じて、前記第１のオブジェクトデータを前記表示手段上から消去する第１のオブジェクトデータ消去手段と、
前記第１のオブジェクトデータを消去させるための指示操作があった場合であって且つ、前記第２のオブジェクトデータが前記表示手段上に前記第１のオブジェクトデータととも表示されている場合、前記第２のオブジェクトデータを前記表示手段上から消去させる第２のオブジェクトデータ消去手段とを更に有することを特徴とする請求項１又は２に記載の情報処理装置。
【請求項４】
情報処理装置による情報処理方法であって、
入力されるデータの計測及び解析のうちの少なくとも一方を実行する計測解析ステップと、
前記計測解析ステップの処理結果に基づいて第１のオブジェクトデータを生成する第１のオブジェクトデータ生成ステップと、
前記第１のオブジェクトデータに係る所定の指示操作に応じて、前記計測解析ステップの前記処理結果に基づいて第２のオブジェクトデータを生成する第２のオブジェクトデータ生成ステップと、
前記第２のオブジェクトデータ生成ステップにより前記第２のオブジェクトデータが生成された場合、前記第１のオブジェクトデータとともに前記第２のオブジェクトデータを表示手段上に表示させる表示制御ステップとを含むことを特徴とする情報処理方法。
【請求項５】
請求項４に記載の情報処理方法をコンピュータに実行させるためのプログラム。
【請求項６】
請求項５に記載のプログラムを記録したコンピュータ読み取り可能な記録媒体。
【発明の詳細な説明】
【技術分野】
【０００１】
本発明は、入力されたデータに対する測定、解析結果に基づいてオブジェクトデータを生成し、生成したオブジェクトデータを表示させることが可能な情報処理装置、情報処理方法、プログラム及びコンピュータ読み取り可能な記録媒体に関するものである。
【背景技術】
【０００２】
従来の計測システムとして、計測器から出力されるデータをＰＣで入力し、ＰＣでは入力データを計測、解析し、その結果を示すグラフ等のオブジェクトデータを画面上に表示させるものが知られている（例えば、非特許文献１参照）。
【０００３】
画面上に表示させるオブジェクトデータには、グラフのほか、テキスト表示のリストやグラフの断面図等、種々のオブジェクトが存在し、これらを同一画面上に表示させることにより、計測器から出力される同一データについての計測結果や解析結果を多角的に把握することが可能である。
【０００４】
【非特許文献１】「情報処理用ソフトウェア、レポライザ、ＸＮ−８０００シリーズ」パンフレット、株式会社小野測器
【発明の開示】
【発明が解決しようとする課題】
【０００５】
しかしながら、上述したように同一の入力データについて複数種類のオブジェクトデータを表示させるためには、夫々のオブジェクトデータについて個々に当該入力データとの対応付け等の各種設定処理が必要であり、操作上の煩わしさが伴う。また従来は、同一の入力データに関して複数のオブジェクトデータを表示させる場合、夫々について同様の表示操作を行う必要があったが、このような表示操作によっては表示させた各オブジェクトデータ間の関連性が直感的に把握しづらいといった問題がある。
【０００６】
そこで、本発明の目的は、従来のように操作上の煩わしさを伴う設定操作を行うことなく必要な情報を迅速に把握することを可能とするとともに、複数のオブジェクトデータ間の関連性を操作者が直感的に把握可能とする、優れた操作性を提供することにある。
【課題を解決するための手段】
【０００７】
本発明の情報処理装置は、入力されるデータの計測及び解析のうちの少なくとも一方を実行する計測解析手段と、前記計測解析手段の処理結果に基づいて第１のオブジェクトデータを生成する第１のオブジェクトデータ生成手段と、前記第１のオブジェクトデータに係る所定の指示操作に応じて、前記計測解析手段の前記処理結果に基づいて第２のオブジェクトデータを生成する第２のオブジェクトデータ生成手段と、前記第２のオブジェクトデータ生成手段により前記第２のオブジェクトデータが生成された場合、前記第１のオブジェクトデータとともに前記第２のオブジェクトデータを表示手段上に表示させる表示制御手段とを有することを特徴とする。
本発明の情報処理装置による情報処理方法は、情報処理装置による情報処理方法であって、入力されるデータの計測及び解析のうちの少なくとも一方を実行する計測解析ステップと、前記計測解析ステップの処理結果に基づいて第１のオブジェクトデータを生成する第１のオブジェクトデータ生成ステップと、前記第１のオブジェクトデータに係る所定の指示操作に応じて、前記計測解析ステップの前記処理結果に基づいて第２のオブジェクトデータを生成する第２のオブジェクトデータ生成ステップと、前記第２のオブジェクトデータ生成ステップにより前記第２のオブジェクトデータが生成された場合、前記第１のオブジェクトデータとともに前記第２のオブジェクトデータを表示手段上に表示させる表示制御ステップとを含むことを特徴とする。
本発明のプログラムは、前記情報処理方法をコンピュータに実行させることを特徴とする。
本発明のコンピュータ読み取り可能な記録媒体は、前記プログラムを記録したことを特徴とする。
【発明の効果】
【０００８】
本発明によれば、第１のオブジェクトデータに係る所定の指示操作に応じて第２のオブジェクトデータが生成、表示されるので、従来のように操作上の煩わしさを伴う設定操作を行うことなく必要な情報を迅速に把握することが可能となる。また、上記の所定の指示操作は、第１のオブジェクトデータに関してなされる操作であるため、操作者は第１のオブジェクトデータに関して第２のオブジェクトデータの生成指示を行ったことを直感的に把握することが可能となり、優れた操作性を提供することができる。
【発明を実施するための最良の形態】
【０００９】
以下、本発明を適用した好適な実施形態を、添付図面を参照しながら詳細に説明する。
【００１０】
図１は、本発明の実施形態に係る計測・解析システムの構成を示す図である。図１に示すように、本実施形態に係る計測・解析システムは、ＰＣ（Personal Computer）１と計測器２とが通信回線を介して接続され、計測器２からの出力データをＰＣ１が取得することができる構成となっている。なお、ここでは一台のＰＣ１に対して一台の計測器２が接続された構成を挙げているが、これに限らず、一台のＰＣ１に対して複数の計測器２が接続された構成も本発明の範疇に含まれる。
【００１１】
計測器２は、例えば複数のチャンネル（図１の例では、ｃｈ．１、ｃｈ．２、ｃｈ３）を有し、各チャンネルから入力された計測に係るアナログデータ（例えば、自動車等のエンジンの振動や風切り音等のアナログデータ）をデジタルデータに変換し、出力データとしてＰＣ１に対して送信する。
【００１２】
ＰＣ１では、チャンネル毎に計測や解析に係る設定情報（例えば、計測の種類、計測の範囲、解析の種類及び解析の範囲等に係る設定情報）を保持しており、設定情報に基づいて各チャンネルに対応する計測器２からの入力データを計測、解析し、その結果に基づいてオブジェクトデータを生成して画面上に表示させる。
【００１３】
図２は、ＰＣ１のハードウェア構成を示す図である。図２に示すように、ＰＣ１は、ＣＰＵ（Central Processing Unit）１７、インタフェース装置１８、ＨＤ（ハードディスク）１９、入力装置１１、表示装置１２、記録媒体ドライブ装置１３、ＲＯＭ（Read Only Memory）１５及びＲＡＭ（Random Access Memory）１６を備える。
【００１４】
ＣＰＵ１７は、バスに接続される各デバイスを統括的に制御する。ＲＯＭ１５には、ＣＰＵ１７の制御プログラムであるＢＩＯＳ（Basic Input/Output System）が記憶され、ＨＤ１９には、オペレーティングシステムプログラムや、ＰＣ１が例えば図４に示すフローチャートを実行するために必要な各種プログラムや設定情報等が記憶されている。ＲＡＭ１６は、ＣＰＵ１７の主メモリ、ワークエリア等として機能する。ＣＰＵ１７は、処理の実行に際して必要なプログラムや設定情報等をＲＡＭ１６にロードして、プログラムを実行することで各種動作を実現する。
【００１５】
インタフェース装置１８は、通信回線を介して行われる計測器２とのデータ通信を制御するものであり、ＣＰＵ１７は、インタフェース装置１８を介して計測器２からのデータを入力する。入力装置１１は、キーボードやマウス等であり、操作者の操作に応じた情報をＰＣ１に入力することができる。表示装置１２は、例えば液晶ディスプレイやＣＲＴ(Cathode Ray Tube)ディスプレイ等であり、ＣＰＵ１７の制御に基づいて画面情報が表示される。
【００１６】
記録媒体ドライブ装置１３は、ＣＤ−Ｒ／ＷやＦＤ（フレキシブルディスク）等の外部記録媒体１４に対するデータの書き込み及び読み込みを行う。なお、本発明においては、本実施形態に係る例えば図４に示すフローチャートを実行するためのプログラム、設定情報等が外部記録媒体１４に記録され、この記録媒体ドライブ装置１３を介してＰＣ１に供給される構成であってもよいし、不図示のインターネット等の通信回線を介してＰＣ１に供給される構成であってもよい。
【００１７】
図３は、ＰＣ１の機能構成を示す図である。図３に示すように、ＰＣ１は、設定部３１、計測・解析部３２、メインオブジェクト生成部／消去部３３、設定情報−メインオブジェクト対応付け部３４及び補助オブジェクト生成／消去部３５により構成される。なお、設定部３１及び設定情報−メインオブジェクト対応付け部３４は、例えばＨＤ１９等において記憶される設定情報及び対応付けを管理するためのテーブル情報に対応し、計測・解析部３２、メインオブジェクト生成／消去部３３及び補助オブジェクト生成／消去部３５は、例えばＨＤ１９等に記憶されるプログラム及びそのプログラムを実行するＣＰＵ１７に対応する構成である。
【００１８】
設定部３１は、例えば操作者による入力装置１１の操作によって入力されたチャンネル毎（図１の例では、ｃｈ１、ｃｈ２、ｃｈ３）の入力データの計測、解析に係る設定情報を保持する。設定情報の例としては、図３に示すように、１０ｋＨｚのＦＦＴ（Fast Fourier Transform）による計測、解析処理の設定情報、１ｋＨｚのＦＦＴによる計測、解析処理の設定情報、１／３オクターブバンドのＲＴＡ（Real Time Analyzer）による計測、解析処理の設定情報及び次数比解析処理の設定情報等が挙げられる。図３の例では、ｃｈ１（の入力データ）に対してこれら４つの測定、解析に係る設定情報が設定部３１において保持されている。
【００１９】
計測・解析部３２は、計測器２からの入力データに対して設定部３１において保持される設定情報に基づく計測及び解析処理の少なくも何れか一方を実行する。即ち、図３の例では、ｃｈ１からの入力データに対して、１０ｋＨｚのＦＦＴの計測、解析処理、１ｋＨｚのＦＦＴの計測、解析処理、１／３オクターブバンドのＲＴＡの計測、解析処理及び次数比解析処理を実行することになる。
【００２０】
設定情報−メインオブジェクト対応付け部３４は、設定部３１で保持される各設定情報とメインオブジェクトとの対応付けをテーブル情報で保持する。図３の例では、１０ｋＨｚのＦＦＴの設定情報とメインオブジェクトＡ−１とが対応付けられ、１ｋＨｚのＦＦＴの設定情報とメインオブジェクトＡ−２とが対応付けられている。なお、その他の設定情報についての対応付けは図３では図示を省略している。
【００２１】
メインオブジェクト生成／消去部３３は、設定情報−メインオブジェクト対応付け部３４を参照し、計測・解析部３２による各計測又は解析結果に基づいて、該当する設定情報に対応するメインオブジェクトを生成し、表示装置１２上に表示させる。例えば図３の例では、１０ｋＨｚのＦＦＴによる計測、解析結果に基づいてメインオブジェクトＡ−１を生成し、１ｋＨｚのＦＦＴによる計測、解析結果に基づいてメインオブジェクトＡ−２を生成することになる。メインオブジェクトＡ−１、Ａ−２は、例えばグラフ表示されるオブジェクトであるため、１０ｋＨｚのＦＦＴによる計測、解析結果、１ｋＨｚのＦＦＴによる計測、解析結果が夫々、メインオブジェクトＡ−１、Ａ−２としてグラフ表示されることになる。
【００２２】
また、メインオブジェクト生成／消去部３３は、操作者の入力装置１１による操作に応じて一旦生成したメインオブジェクトを表示装置１２上から消去することもできる。
【００２３】
補助オブジェクト生成／消去部３５は、操作者の所定の操作入力に応じて、対応するメインオブジェクトの補助オブジェクトを生成し、表示装置１２上に表示させる。例えば、メインオブジェクトＡ−１について補助オブジェクト生成の指示操作があった場合、メインオブジェクトが生成される上で用いられる１０ｋＨｚのＦＦＴによる計測、解析結果が補助オブジェクト生成／消去部３５によって取得され、指定された例えばグラフの断面図やリスト等の補助オブジェクトが生成される。生成された補助オブジェクトは、メインオブジェクトＡ−１と同一のウインドウＡ３６ａ内に表示される。
【００２４】
また、補助オブジェクト生成／消去部３５は、操作者の入力装置１１による操作に応じて一旦生成した補助オブジェクトを表示装置１２上から消去することもできる。なお、或るメインオブジェクトがメインオブジェクト生成／消去部３３によって消去され、且つ当該メインオブジェクトの補助オブジェクトが既に生成され、表示装置１２上に表示されていた場合は、補助オブジェクト生成／消去部３５は、メインオブジェクト生成／消去部３３による当該メインオブジェクトの消去を受けて、当該メインオブジェクトの補助オブジェクトを消去する処理を実行する。
【００２５】
図４は、本実施形態に係るＰＣ１の処理動作の流れを示すフローチャートである。操作者の操作によってメインオブジェクトの表示指示があることにより、図４に示す処理が開始される。
【００２６】
先ず、計測・解析部３２は、設定部３１から各チャンネルの設定情報を取得し（ステップＳ４０１）、取得した設定情報に基づいて各チャンネルの入力データの計測、解析処理を実行する（ステップＳ４０２）。例えば、図３の例では、ｃｈ．１の入力データに対しては、１０ｋＨｚのＦＦＴの計測、解析処理、１ｋＨｚのＦＦＴの計測、解析処理、１／３オクターブのＲＴＡの計測、解析処理、次数比解析の解析処理が実行されることになる。
【００２７】
続いて、メインオブジェクト生成／消去部３３は、設定情報−メインオブジェクト対応付け部３４から各設定情報とメインオブジェクトとの対応関係を参照し、各設定情報に対応する計測、解析結果に基づいてメインオブジェクトを生成する（ステップＳ４０３）。図３の例では、１０ｋＨｚのＦＦＴの設定情報にはグラフ表示のメインオブジェクトＡ−１が対応付けられ、１ｋＨｚのＦＦＴの設定情報には同じくグラフ表示のメインオブジェクトＡ−２が対応付けられているため、１０ｋＨｚのＦＦＴの計測、解析結果を用いてメインオブジェクトＡ−１が生成され、１ｋＨｚのＦＦＴの計測、解析結果を用いてメインオブジェクトＡ−２が生成されることになる。生成されたメインオブジェクトＡ−１、Ａ−２は夫々、表示装置１２上においてウインドウＡ３６ａ、ウインドウＡ３６ｂ内に表示される。
【００２８】
表示装置１２上にメインオブジェクトが表示された後、操作者の入力装置１１の操作によって補助オブジェクトの表示指示があった場合（ステップＳ４０４／ＹＥＳ）、補助オブジェクト生成／消去部３５は、補助オブジェクトを生成する（ステップＳ４０５）。
【００２９】
以下、操作者の操作方法及び補助オブジェクトの生成、表示処理の具体例を図５−１及び図５−２を用いて説明する。操作者が例えば図５−１のメインオブジェクトＡ−１の表示範囲内又はその近傍にマウス操作によりポインタを位置させ、そこで右クリックすると、ポインタ位置付近に図５−１の５０１に示す補助オブジェクト選択画面が表示される。ユーザは補助オブジェクト選択画面の中から所望の補助オブジェクトを選択することができる。図５−１の例では、ピークリスト、ハーモニックリスト及び断面図等の補助オブジェクトを選択することが可能である。例えば操作者によってピークリストが選択された場合、補助オブジェクト生成／消去部３５は、ｃｈ．１からの入力データに対する１０ｋＨｚのＦＦＴによる計測、解析結果を取得し、図５−２に示すように、取得した計測、解析結果からピークリストの補助オブジェクトを生成する。生成されたピークリストはメインオブジェクトＡ−１と同じウインドウＡ３６ａ内に表示される。
【００３０】
なお、ピークリストとは図５−１のメインオブジェクトＡ−１のグラフ内において音の強さが所定値以上であって、且つグラフの頂点部分に位置する周波数及び音の強さの値が列挙されたリストである。また、ハーモニックリストとは、所定の周波数間隔でサンプリングされた音の強さを各周波数に対応付けて列挙したリストであり、断面図とは、メインオブジェクトＡ−１が三次元のグラフである場合にその三次元のグラフを或る条件で切り出した断面図である。
【００３１】
このように補助オブジェクトが生成された後、既に表示装置１２上に表示されている補助オブジェクトに対する消去指示が操作者の入力装置１１の操作によってあった場合（ステップＳ４０６／ＹＥＳ）、補助オブジェクト生成／消去部３５は対象となる補助オブジェクトの消去処理を実行する（ステップＳ４０７）。一方、補助オブジェクトの消去指示がない場合には（ステップＳ４０６／ＮＯ）、現時点の表示装置１２上の表示状態が維持される。
【００３２】
表示装置１２上において少なくともメインオブジェクトが表示されている状態において、操作者の入力装置１１の操作により当該メインオブジェクトの消去指示があった場合（ステップＳ４０８／ＹＥＳ）、補助オブジェクト生成／消去部３５は、現在、当該メインオブジェクトに対応する補助オブジェクトが表示装置１２上に表示されているか否かを判断する（ステップＳ４０９）。例えば、図５−２に示すように、メインオブジェクトＡ−１に対する消去指示があったときに、メインオブジェクトＡ−１に対応する補助オブジェクトが一つでも表示されている場合（図５−２の例では、補助オブジェクト（ピークリスト）Ａ−１１のみが表示されている）、メインオブジェクトＡ−１に対応する補助オブジェクトが表示されていると判断されることになる。
【００３３】
図５−２に示すように、メインオブジェクトに対応する補助オブジェクトが表示されている場合（ステップＳ４０９／ＹＥＳ）、メインオブジェクト生成／消去部３３によってメインオブジェクトが表示装置１２上から消去されるとともに、補助オブジェクト生成／消去部３５もそのメインオブジェクトに対応する補助オブジェクトを表示装置１２上から消去する（ステップＳ４１０）。一方、消去指示のあったメインオブジェクトに対応する補助オブジェクトが表示されていない場合には、メインオブジェクト生成／消去部３３のメインオブジェクト消去処理のみが実行される。なお、メインオブジェクトの消去指示がない場合には（ステップＳ４０８／ＮＯ）、現時点の表示装置１２の表示状態が維持される。
【００３４】
また、ウインドウＡ１６ａ上でのメインオブジェクトＡ−１、補助オブジェクトＡ−１１の表示レイアウト、表示サイズは操作者の入力装置１１の操作によって任意に変更することが可能である。さらに上記では、メインオブジェクトＡ−１については補助オブジェクトＡ−１１のみが生成、表示されることを例に挙げて説明したが、補助オブジェクトＡ−１１のみならず、補助オブジェクトＡ−１２、補助オブジェクトＡ−１３、・・・といったように更に多数の補助オブジェクトを一つのメインオブジェクトから生成、表示させることも可能である。なお、図３のメインオブジェクトＢ−１についても同様に補助オブジェクトが生成可能であることは勿論である。
【００３５】
以上のように本実施形態によれば、メインオブジェクトＡ−１に対して所定の操作が行われることにより補助オブジェクトＡ−１１等が生成、表示されるので、複数のオブジェクトデータが同時に表示されることにより、当該計測、解析結果を多角的に把握することが可能となる。また、上記の所定の操作は、メインオブジェクトＡ−１の表示範囲内又はその近傍での操作であって、メインオブジェクトＡ−１に関してなされるものである。この操作によって補助オブジェクトＡ−１１等が直ちに表示され、従来のように操作上の煩わしさを伴う設定処理を行うことなく必要な情報を迅速に把握することが可能となるとともに、メインオブジェクトＡ−１について補助オブジェクトＡ−１１等の表示を指示したことを操作者は直感的に把握することが可能となり、優れた操作性を提供することができる。さらに本実施形態では、参照することが不要となったメインオブジェクトＡ−１を消去すれば、それに伴って補助オブジェクトＡ−１１等も自動的に消去されるので、操作者は同時に表示される複数のオブジェクトデータ夫々について消去指示を行う必要がない。
【００３６】
以上、本発明を適用した好適な実施形態について詳述したが、本発明は係る特定の実施形態に限定されるものではなく、本発明の要旨を逸脱しない範囲で種々の変形、変更が可能である。
【００３７】
例えば、上述した実施形態では、計測器２が計測するアナログデータのうち、音響の例として自動車等の風切り音を示したが、これに限定されるものではなく、例えば道路、鉄道、向上等の騒音や、建設機器の騒音、自動車等の室内空間の反響音、ＰＣ、プリンタ、ＦＡＸ及びコピー機等のＯＡ機器の騒音、エアコン、洗濯機、冷蔵庫等の家電製品の騒音等、様々なものがある。
【００３８】
同様に、上述した実施形態では、計測器２が計測するアナログデータのうち、振動の例として自動車等のエンジンの振動を示したが、これに限定されるものではなく、例えばエンジン以外のモータ、タービン、ポンプ等の回転体（回転機械）の振動（例えば、ねじり振動）や、自動車等のトランスミッション内等の歯車の振動、エンジン等のノッキング振動、ＯＡ機器の振動、家電製品の振動等、様々なものがある。
【図面の簡単な説明】
【００３９】
【図１】本発明の実施形態に係る計測・解析システムの構成を示す図である。
【図２】ＰＣのハードウェア構成を示す図である。
【図３】ＰＣの機能構成を示す図である。
【図４】ＰＣ１の処理動作の流れを示すフローチャートである。
【図５−１】操作者の操作方法及び補助オブジェクトの生成、表示処理の具体例を説明するための図である。
【図５−２】操作者の操作方法及び補助オブジェクトの生成、表示処理の具体例を説明するための図である。
【符号の説明】
【００４０】
１：計測器
２：ＰＣ
１１：入力装置
１２：表示装置
１３：記録媒体ドライブ装置
１４：記録媒体
１５：ＲＯＭ
１６：ＲＡＭ
１７：ＣＰＵ
１８：インタフェース装置
１９：ＨＤ
３１：設定部
３２：計測・解析部
３３：メインオブジェクト生成／消去部
３４：設定情報−メインオブジェクト対応付け部
３５：補助オブジェクト生成／消去部
３６ａ：ウインドウＡ
３６ｂ：ウインドウＢ
【図１】
2007033246.tif 000003
【図２】
2007033246.tif 000004
【図３】
2007033246.tif 000005
【図４】
2007033246.tif 000006
【図５−１】
2007033246.tif 000007
【図５−２】
2007033246.tif 000008